(57)【要約】【課題】  ミキサのローカルフィードスルーの位相等を求めるためのモードを特に準備しなくても、ローカルフィードスルーをキャンセルできるようにする。【解決手段】  ＲＦ信号とローカル信号Ｌｏとを混合してＩＦ信号を出力するミキサ２について、ＩＦ信号に混入するローカル信号Ｌｏ成分であるローカルフィードスルーを相殺するローカルフィードスルー相殺装置１であって、ローカル信号ＬｏとＩＦ信号とを受けて、ローカルフィードスルーを検出するローカルフィードスルー検出部３０と、ローカル信号Ｌｏを受け、検出されたローカルフィードスルー（検出信号、直交検出信号）に基づき、ローカル信号Ｌｏの位相およびレベルを変更したローカルフィードスルー相殺信号を出力するローカルフィードスルー相殺信号出力部４０と、ローカルフィードスルー相殺信号をＩＦ信号に付加するローカルフィードスルー相殺信号付加部２０とを備える。【選択図】  図１
2005130119.tif 000002
【特許請求の範囲】
【請求項１】
ＲＦ信号とローカル信号とを混合してＩＦ信号を出力するミキサについて、前記ＩＦ信号に混入するローカル信号成分であるローカルフィードスルーを相殺するローカルフィードスルー相殺装置であって、
前記ローカル信号と前記ＩＦ信号とを受けて、前記ローカルフィードスルーを検出するローカルフィードスルー検出手段と、
前記ローカル信号を受け、前記ローカルフィードスルー検出手段により検出された前記ローカルフィードスルーに基づき、前記ローカル信号の位相およびレベルを変更したローカルフィードスルー相殺信号を出力するローカルフィードスルー相殺信号出力手段と、
前記ローカルフィードスルー相殺信号出力手段から出力された前記ローカルフィードスルー相殺信号を前記ＩＦ信号に付加するローカルフィードスルー相殺信号付加手段と、
を備えたローカルフィードスルー相殺装置。
【請求項２】
請求項１に記載のローカルフィードスルー相殺装置であって、
前記ローカルフィードスルー検出手段は、
前記ローカル信号と前記ＩＦ信号とを混合して、検出信号を出力する検出信号出力手段と、
前記ローカル信号の位相を９０度移動させた直交ローカル信号と前記ＩＦ信号とを混合して、直交検出信号を出力するする直交検出信号出力手段と、
を有し、
前記ローカルフィードスルー相殺信号出力手段は、
前記検出信号と前記ローカル信号とを混合して、第一相殺信号を出力する第一相殺信号出力手段と、
前記直交検出信号と前記ローカル信号の位相を９０度移動させた直交ローカル信号とを混合して、第二相殺信号を出力する第二相殺信号出力手段と、
前記第一相殺信号および前記第二相殺信号を合成して前記ローカルフィードスルー相殺信号を生成するローカルフィードスルー相殺信号生成手段と、
を有する、
ローカルフィードスルー相殺装置。
【請求項３】
請求項１に記載のローカルフィードスルー相殺装置であって、
前記ローカルフィードスルー検出手段は、
前記ローカル信号および前記ＩＦ信号の位相差を検出する位相差検出手段と、
前記ローカル信号および前記ＩＦ信号の振幅差を検出する振幅差検出手段と、
を有し、
前記ローカルフィードスルー相殺信号出力手段は、
前記位相差に基づき、前記ローカルフィードスルーと逆の位相になるように、前記ローカル信号の位相を変更する位相変更手段と、
前記振幅差に基づき、前記ローカルフィードスルーと同じ振幅になるように、前記ローカル信号の振幅を変更する振幅変更手段と、
を有する、
ローカルフィードスルー相殺装置。
【請求項４】
請求項１ないし３のいずれか一項に記載のローカルフィードスルー相殺装置であって、
前記ローカルフィードスルー検出手段および前記ローカルフィードスルー相殺信号出力手段に前記ローカル信号を供給するローカル信号供給手段を備え、
前記ローカル信号の周波数における、前記ローカル信号供給手段から前記ローカルフィードスルー検出手段までの電気長と、前記ローカル信号供給手段から前記ローカルフィードスルー相殺信号出力手段、前記ローカルフィードスルー相殺信号付加手段を経由して前記ローカルフィードスルー検出手段に到達する経路の電気長とが等しい、
ローカルフィードスルー相殺装置。
【請求項５】
請求項１ないし４のいずれか一項に記載のローカルフィードスルー相殺装置と、
前記ローカルフィードスルー相殺装置によりローカルフィードスルーが相殺されたＩＦ信号に基づきＲＦ信号を測定する測定手段と、
を備えた信号測定装置。
【発明の詳細な説明】
【技術分野】
【０００１】
本発明は、ミキサのローカルフィードスルーの低減に関する。
【背景技術】
【０００２】
従来より、ミキサにより、ＲＦ（radio
frequency：無線周波数）信号をローカル信号と混合して、ＩＦ（intermediate frequency：中間周波数）信号を生成することが行なわれている。ＩＦ信号にローカル信号が混入しないことが理想的である。しかし、現実には、ＩＦ信号にローカル信号が混入してしまう。ＩＦ信号に混入したローカル信号成分を、ローカルフィードスルーという。ローカルフィードスルーが混入すると、ＩＦ信号の周波数が低い場合のＩＰ３が小さくなるといった問題を引き起こす。
【０００３】
ローカルフィードスルーを低減する技術は、例えば特許文献１に記載されたようなものがある。すなわち、ローカル（キャリア）信号にＲＦ信号（変調信号Ｉ、Ｑ）を混合して得たＩＦ信号（ローカルフィードスルーが混入している）に、ローカル（キャリア）信号に直流電圧を混合して得た信号（ローカルフィードスルーと同振幅かつ逆位相）を加算して、ローカルフィードスルーをキャンセルする。なお、直流電圧を決定するために、ローカルフィードスルーの振幅および位相を測定する必要がある。
【０００４】
【特許文献１】特開２０００−６９０９７号公報（要約）
【発明の開示】
【発明が解決しようとする課題】
【０００５】
しかしながら、上記のようにしてローカルフィードスルーをキャンセルする場合、ローカルフィードスルーの位相の測定が困難である。よって、直流電圧を数種類与えて、そのときのローカルフィードスルーの振幅の測定値から位相を求めるようにしている。具体的には、振幅の測定値（アナログ）をデジタルに変換してから、演算を行ない、演算結果（デジタル）をアナログに変換するといったことを何回か繰り返してローカルフィードスルーの位相を求める。
【０００６】
このように、ローカルフィードスルーの位相を求めるためには時間が長くかかる。
【０００７】
ローカルフィードスルーの位相を求めるための時間が長くかかることは、以下のような問題を引き起こす。
【０００８】
すなわち、ローカル信号の単一の周波数においてローカルフィードスルーをキャンセルする場合、ローカルフィードスルーの位相を求めるためのモードを、ＩＦ信号を取得するためのモードとは別に準備しなければならない。さもなければ、ローカル信号の周波数を何回か掃引するごとに、時間をかけてローカルフィードスルーの位相を求めなければならない。
【０００９】
ローカル信号の周波数を掃引しながらローカルフィードスルーをキャンセルする場合、予めローカルフィードスルーの振幅および位相を求めておく。そして、ローカル信号の周波数を掃引しながら、求めておいた振幅および位相に基づき直流電圧を与えてローカルフィードスルーをキャンセルする。しかし、周波数の分解能は悪くなるなど不便である。
【００１０】
このように、ローカルフィードスルーをキャンセルするためには、ローカルフィードスルーの位相を求める必要があり、この位相を求めるために時間がかかるので、ローカルフィードスルーの位相を求めるためのモードを、ＩＦ信号を取得するためのモードとは別に準備しなければならないという問題がある。
【００１１】
そこで、本発明は、ローカルフィードスルーの位相等を求めるためのモードを、ＩＦ信号を取得するためのモードとは別に準備しなくても、ローカルフィードスルーをキャンセルできることを課題とする。
【課題を解決するための手段】
【００１２】
請求項１に記載の発明は、ＲＦ信号とローカル信号とを混合してＩＦ信号を出力するミキサについて、ＩＦ信号に混入するローカル信号成分であるローカルフィードスルーを相殺するローカルフィードスルー相殺装置であって、ローカル信号とＩＦ信号とを受けて、ローカルフィードスルーを検出するローカルフィードスルー検出手段と、ローカル信号を受け、ローカルフィードスルー検出手段により検出されたローカルフィードスルーに基づき、ローカル信号の位相およびレベルを変更したローカルフィードスルー相殺信号を出力するローカルフィードスルー相殺信号出力手段と、ローカルフィードスルー相殺信号出力手段から出力されたローカルフィードスルー相殺信号をＩＦ信号に付加するローカルフィードスルー相殺信号付加手段とを備えるように構成される。
【００１３】
上記のように構成された発明によれば、ＲＦ信号とローカル信号とを混合してＩＦ信号を出力するミキサについて、ＩＦ信号に混入するローカル信号成分であるローカルフィードスルーを相殺するローカルフィードスルー相殺装置が提供される。
【００１４】
ローカルフィードスルー検出手段は、ローカル信号とＩＦ信号とを受けて、ローカルフィードスルーを検出する。ローカルフィードスルー相殺信号出力手段は、ローカル信号を受け、ローカルフィードスルー検出手段により検出されたローカルフィードスルーに基づき、ローカル信号の位相およびレベルを変更したローカルフィードスルー相殺信号を出力する。ローカルフィードスルー相殺信号付加手段は、ローカルフィードスルー相殺信号出力手段から出力されたローカルフィードスルー相殺信号をＩＦ信号に付加する。
【００１５】
請求項２に記載の発明は、請求項１に記載の発明であって、ローカルフィードスルー検出手段は、ローカル信号とＩＦ信号とを混合して、検出信号を出力する検出信号出力手段と、ローカル信号の位相を９０度移動させた直交ローカル信号とＩＦ信号とを混合して、直交検出信号を出力するする直交検出信号出力手段とを有し、ローカルフィードスルー相殺信号出力手段は、検出信号とローカル信号とを混合して、第一相殺信号を出力する第一相殺信号出力手段と、直交検出信号とローカル信号の位相を９０度移動させた直交ローカル信号とを混合して、第二相殺信号を出力する第二相殺信号出力手段と、第一相殺信号および第二相殺信号を合成してローカルフィードスルー相殺信号を生成するローカルフィードスルー相殺信号生成手段とを有するように構成される。
【００１６】
請求項３に記載の発明は、請求項１に記載の発明であって、ローカルフィードスルー検出手段は、ローカル信号およびＩＦ信号の位相差を検出する位相差検出手段と、ローカル信号およびＩＦ信号の振幅差を検出する振幅差検出手段とを有し、ローカルフィードスルー相殺信号出力手段は、位相差に基づき、ローカルフィードスルーと逆の位相になるように、ローカル信号の位相を変更する位相変更手段と、振幅差に基づき、ローカルフィードスルーと同じ振幅になるように、ローカル信号の振幅を変更する振幅変更手段とを有するように構成される。
【００１７】
請求項４に記載の発明は、請求項１ないし３のいずれか一項に記載の発明であって、ローカルフィードスルー検出手段およびローカルフィードスルー相殺信号出力手段にローカル信号を供給するローカル信号供給手段を備え、ローカル信号の周波数における、ローカル信号供給手段からローカルフィードスルー検出手段までの電気長と、ローカル信号供給手段からローカルフィードスルー相殺信号出力手段、ローカルフィードスルー相殺信号付加手段を経由してローカルフィードスルー検出手段に到達する経路の電気長とが等しいように構成される。
【００１８】
請求項５に記載の発明は、請求項１ないし４のいずれか一項に記載のローカルフィードスルー相殺装置と、ローカルフィードスルー相殺装置によりローカルフィードスルーが相殺されたＩＦ信号に基づきＲＦ信号を測定する測定手段とを備えるように構成される。
【発明を実施するための最良の形態】
【００１９】
以下、本発明の実施形態を図面を参照しながら説明する。
【００２０】
第一の実施形態
図１は、本発明の第一の実施形態にかかるローカルフィードスルー相殺装置１をミキサ２に接続したものの構成を示す図である。
【００２１】
ミキサ２は、ＲＦ（radio
frequency：無線周波数）信号とローカル信号Ｌｏとを混合してＩＦ（intermediate frequency：中間周波数）信号を出力する。ＩＦ信号には、ローカル信号の成分が混入しないことが好ましいが、現実には混入してしまう。ＩＦ信号に混入したローカル信号成分を、ローカルフィードスルーという。
【００２２】
ローカルフィードスルー相殺装置１は、ローカルフィードスルーをキャンセル（相殺）するためのものである。
【００２３】
ローカルフィードスルー相殺装置１は、ローカル信号供給部１０、ローカルフィードスルー相殺信号付加部２０、ＩＦ信号分配器２２、ローカルフィードスルー検出部３０、ローカルフィードスルー相殺信号出力部４０を備える。
【００２４】
ローカル信号供給部１０は、ミキサ２、ローカルフィードスルー検出部３０およびローカルフィードスルー相殺信号出力部４０にローカル信号Ｌｏを供給する。
【００２５】
ローカル信号供給部１０は、分配器１２、１４を有する。分配器１２は、ローカル信号Ｌｏを受け、ミキサ２と分配器１４とに向けて分配する。分配器１４は、分配器１２からローカル信号Ｌｏを受け、ローカルフィードスルー検出部３０とローカルフィードスルー相殺信号出力部４０とに向けて分配する。
【００２６】
ローカルフィードスルー相殺信号付加部２０は、ローカルフィードスルー相殺信号出力部４０から出力されたローカルフィードスルー相殺信号を、ミキサ２から出力されたＩＦ信号に付加（加算）する。
【００２７】
ＩＦ信号分配器２２は、ローカルフィードスルー相殺信号付加部２０から出力されたＩＦ信号を外部（例えば、測定器）およびローカルフィードスルー検出部３０に向けて分配する。測定器は、ローカルフィードスルーが相殺されたＩＦ信号に基づきＲＦ信号を測定するためのものである。なお、外部に接続した測定器、ローカルフィードスルー相殺装置１およびミキサ２によりスペクトラムアナライザ（信号測定装置）が構成されるようにしてもよい。
【００２８】
ローカルフィードスルー検出部３０は、ローカル信号供給部１０からローカル信号Ｌｏを、ＩＦ信号分配器２２からＩＦ信号を受けて、ミキサ２のローカルフィードスルーを検出する。
【００２９】
ローカルフィードスルー検出部３０は、ローカル信号移相分配器３２、ＩＦ信号分配器３４、検出信号出力用ミキサ３６、直交検出信号出力用ミキサ３８を有する。
【００３０】
ローカル信号移相分配器３２は、ローカル信号供給部１０からローカル信号Ｌｏを受け、検出信号出力用ミキサ３６および直交検出信号出力用ミキサ３８に分配する。ただし、直交検出信号出力用ミキサ３８に分配するローカル信号Ｌｏは、位相を９０度移動させておく。位相を９０度移動させておいたローカル信号Ｌｏを直交ローカル信号という。
【００３１】
ＩＦ信号分配器３４は、ＩＦ信号分配器２２からＩＦ信号を受け、検出信号出力用ミキサ３６および直交検出信号出力用ミキサ３８に分配する。
【００３２】
検出信号出力用ミキサ３６は、ローカル信号移相分配器３２からローカル信号Ｌｏを受け、ＩＦ信号分配器３４からＩＦ信号を受けて混合する。検出信号出力用ミキサ３６の出力を検出信号という。
【００３３】
直交検出信号出力用ミキサ３８は、ローカル信号移相分配器３２から直交ローカル信号を受け、ＩＦ信号分配器３４からＩＦ信号を受けて混合する。直交検出信号出力用ミキサ３８の出力を直交検出信号という。
【００３４】
検出信号および直交検出信号は、ミキサ２のローカルフィードスルーを検出した信号である。
【００３５】
ローカルフィードスルー相殺信号出力部４０は、ローカル信号供給部１０からローカル信号Ｌｏを受け、ローカルフィードスルー検出部３０から検出信号および直交検出信号を受ける。そして、検出信号および直交検出信号が示すローカルフィードスルーに基づき、ローカル信号Ｌｏの位相およびレベルを変更したローカルフィードスルー相殺信号を出力する。
【００３６】
ローカルフィードスルー相殺信号出力部４０は、ローカル信号移相分配器４２、ローパスフィルタ４３ａ、４３ｂ、第一相殺信号出力用ミキサ４４ａ、第二相殺信号出力用ミキサ４４ｂ、ローカルフィードスルー相殺信号生成器４６を有する。
【００３７】
ローカル信号移相分配器４２は、ローカル信号供給部１０からローカル信号Ｌｏを受け、第一相殺信号出力用ミキサ４４ａおよび第二相殺信号出力用ミキサ４４ｂに分配する。ただし、第二相殺信号出力用ミキサ４４ｂに分配するローカル信号Ｌｏは、位相を９０度移動させておく。位相を９０度移動させておいたローカル信号Ｌｏを直交ローカル信号という。
【００３８】
ローパスフィルタ４３ａは、検出信号から高周波成分を除去して、第一相殺信号出力用ミキサ４４ａに出力する。ローパスフィルタ４３ｂは、直交検出信号から高周波成分を除去して、第二相殺信号出力用ミキサ４４ｂに出力する。なお、ローパスフィルタ４３ａ、４３ｂの特性により、ローカルフィードスルー相殺装置１の応答時間が制限される。ローパスフィルタ４３ａ、４３ｂのカットオフ周波数を高くすれば応答時間が短くなり、応答が早くなる。しかし、ローカル信号Ｌｏの周波数に近い周波数を有するＲＦ信号を、ＩＦ信号分配器２２に接続された外部の測定器により、正しく測定できなくなる。
【００３９】
第一相殺信号出力用ミキサ４４ａは、検出信号をローパスフィルタ４３ａから受け、ローカル信号をローカル信号移相分配器４２から受けて混合する。第一相殺信号出力用ミキサ４４ａの出力を第一相殺信号という。
【００４０】
第二相殺信号出力用ミキサ４４ｂは、直交検出信号をローパスフィルタ４３ｂから受け、直交ローカル信号をローカル信号移相分配器４２から受けて混合する。第二相殺信号出力用ミキサ４４ｂの出力を第二相殺信号という。
【００４１】
ローカルフィードスルー相殺信号生成器４６は、第一相殺信号出力用ミキサ４４ａから第一相殺信号を受け、第二相殺信号出力用ミキサ４４ｂから第二相殺信号を受けて合成（加算）し、ローカルフィードスルー相殺信号を生成する。
【００４２】
ローカルフィードスルー相殺信号は、ローカル信号Ｌｏの位相およびレベルを変更したものとなる。
【００４３】
なお、ローカル信号供給部１０からローカルフィードスルー相殺信号出力部４０、ローカルフィードスルー相殺信号付加部２０、ＩＦ信号分配器２２を経由してローカルフィードスルー検出部３０に到達する経路のローカル信号Ｌｏの周波数における電気長をΘ１とする。また、ローカル信号供給部１０からローカルフィードスルー検出部３０までのローカル信号Ｌｏの周波数における電気長をΘ２とする。この実施形態では、Θ１＝Θ２であることが好ましい。
【００４４】
次に、第一の実施形態の動作を説明する。
【００４５】
まず、ミキサ２には測定対象であるＲＦ信号が与えられる。しかも、ミキサ２にはローカル信号供給部１０からローカル信号Ｌｏが与えられる。そこで、ミキサ２は、ＲＦ信号とローカル信号Ｌｏとを混合してＩＦ信号を出力する。このＩＦ信号には、ローカルフィードスルーが混入している。ＩＦ信号は、ローカルフィードスルー相殺信号付加部２０を通過して、ＩＦ信号分配器２２に至る。ＩＦ信号分配器２２は、ローカルフィードスルー相殺信号付加部２０から出力されたＩＦ信号を外部（例えば、測定器）およびローカルフィードスルー検出部３０に向けて分配する。
【００４６】
ローカルフィードスルー検出部３０には、ローカル信号供給部１０からローカル信号Ｌｏが与えられる。しかも、ローカルフィードスルー検出部３０には、ＩＦ信号分配器２２からローカルフィードスルーが混入したＩＦ信号が与えられる。
【００４７】
ローカル信号Ｌｏはローカル信号移相分配器３２により分配され、ローカル信号Ｌｏが検出信号出力用ミキサ３６に、直交ローカル信号が直交検出信号出力用ミキサ３８に与えられる。ＩＦ信号は、ＩＦ信号分配器３４により分配され、検出信号出力用ミキサ３６および直交検出信号出力用ミキサ３８に与えられる。
【００４８】
検出信号出力用ミキサ３６は、ローカル信号ＬｏとＩＦ信号とを混合して、検出信号を出力する。直交検出信号出力用ミキサ３８は、直交ローカル信号とＩＦ信号とを混合して、直交検出信号を出力する。検出信号および直交検出信号は、ミキサ２のローカルフィードスルーを検出した信号である。
【００４９】
検出信号は、ローカルフィードスルー相殺信号出力部４０のローパスフィルタ４３ａにより高周波成分が除去されてから、第一相殺信号出力用ミキサ４４ａに与えられる。直交検出信号は、ローカルフィードスルー相殺信号出力部４０のローパスフィルタ４３ｂにより高周波成分が除去されてから、第二相殺信号出力用ミキサ４４ｂに与えられる。
【００５０】
ローカルフィードスルー相殺信号出力部４０には、ローカル信号供給部１０からローカル信号Ｌｏが与えられる。
【００５１】
ローカル信号Ｌｏはローカル信号移相分配器４２により分配され、ローカル信号Ｌｏが第一相殺信号出力用ミキサ４４ａに、直交ローカル信号が第二相殺信号出力用ミキサ４４ｂに与えられる。
【００５２】
第一相殺信号出力用ミキサ４４ａは、検出信号およびローカル信号を混合し、第一相殺信号を出力する。第二相殺信号出力用ミキサ４４ｂは、直交検出信号および直交ローカル信号を混合し、第二相殺信号を出力する。
【００５３】
ローカルフィードスルー相殺信号生成器４６は、第一相殺信号出力用ミキサ４４ａから第一相殺信号を受け、第二相殺信号出力用ミキサ４４ｂから第二相殺信号を受けて合成（加算）し、ローカルフィードスルー相殺信号を生成する。
【００５４】
ローカルフィードスルー相殺信号は、ローカルフィードスルー相殺信号付加部２０に与えられる。ローカルフィードスルー相殺信号付加部２０は、ミキサ２から出力されたＩＦ信号にローカルフィードスルー相殺信号を付加する。これにより、ＩＦ信号におけるローカルフィードスルーがある程度低減できる。
【００５５】
さらに、このＩＦ信号をＩＦ信号分配器２２を介してローカルフィードスルー検出部３０に与える。ローカルフィードスルー検出部３０からは検出信号および直交検出信号が出力される。ローカルフィードスルー相殺信号出力部４０が、検出信号および直交検出信号を受けて、ローカルフィードスルー相殺信号を出力し、ローカルフィードスルー相殺信号付加部２０に与える。このようなことを繰り返していく内に、ＩＦ信号におけるローカルフィードスルーは、ローカルフィードスルー検出部３０により検出できなくなるまでに相殺される。
【００５６】
第一の実施形態によれば、ローカルフィードスルーの位相および振幅を求めるためのモードを、ＩＦ信号をＩＦ信号分配器２２から取り出して外部の測定器により測定するためのモードとは別に準備しなくても、ローカルフィードスルーの相殺を行なうことができる。
【００５７】
第二の実施形態
第二の実施形態は、ローカルフィードスルー検出部３０がＩＦ信号とローカル信号Ｌｏとの位相差および振幅差を検出することで、ローカルフィードスルーを検出する点が第一の実施形態と異なる。
【００５８】
図２は、本発明の第二の実施形態にかかるローカルフィードスルー相殺装置１をミキサ２に接続したものの構成を示す図である。以下、第一の実施形態と同様な部分は同一の番号を付して説明を省略する。
【００５９】
ミキサ２、ローカル信号供給部１０、ローカルフィードスルー相殺信号付加部２０、ＩＦ信号分配器２２は第一の実施形態と同様であり説明を省略する。
【００６０】
ローカルフィードスルー検出部３０は、ローカル信号供給部１０からローカル信号Ｌｏを、ＩＦ信号分配器２２からＩＦ信号を受けて、ミキサ２のローカルフィードスルーを検出する。
【００６１】
ローカルフィードスルー検出部３０は、ローカル信号分配器３１、ＩＦ信号分配器３４、位相差検出部３５、振幅差検出部３７を有する。
【００６２】
ローカル信号分配器３１は、ローカル信号供給部１０からローカル信号Ｌｏを受け、位相差検出部３５および振幅差検出部３７に分配する。
【００６３】
ＩＦ信号分配器３４は、ＩＦ信号分配器２２からＩＦ信号を受け、位相差検出部３５および振幅差検出部３７に分配する。
【００６４】
位相差検出部３５は、ローカル信号分配器３１からローカル信号Ｌｏを受け、ＩＦ信号分配器３４からＩＦ信号を受けて、ローカル信号ＬｏおよびＩＦ信号の位相差を検出し、位相差信号を出力する。
【００６５】
振幅差検出部３７は、ローカル信号分配器３１からローカル信号Ｌｏを受け、ＩＦ信号分配器３４からＩＦ信号を受けて、ローカル信号ＬｏおよびＩＦ信号の振幅差を検出し、振幅差信号を出力する。なお、振幅差は、振幅の比として表現されることも考えられる。よって、振幅差検出部３７が、ローカル信号ＬｏおよびＩＦ信号の振幅比を検出し、振幅差信号を出力するようにしてもよい。
【００６６】
位相差信号および振幅差信号は、ミキサ２のローカルフィードスルーを検出したものである。
【００６７】
ローカルフィードスルー相殺信号出力部４０は、ローカル信号供給部１０からローカル信号Ｌｏを受け、ローカルフィードスルー検出部３０から位相差信号および振幅差信号を受ける。そして、位相差信号および振幅差信号が示すローカルフィードスルーに基づき、ローカル信号Ｌｏの位相およびレベルを変更したローカルフィードスルー相殺信号を出力する。
【００６８】
ローカルフィードスルー相殺信号出力部４０は、位相変更部４７、振幅変更部４８を有する。
【００６９】
位相変更部４７は、位相差検出部３５から位相差信号を受け、位相差信号に基づき、ローカル信号の位相を変更する。ただし、ローカルフィードスルーの位相と逆の位相を有するように、ローカル信号の位相を変更する。
【００７０】
振幅変更部４８は、振幅差検出部３７から振幅差信号を受け、振幅差信号に基づき、位相変更部４７から出力されたローカル信号の振幅を変更する。ただし、ローカルフィードスルーの振幅と同じ振幅を有するように、ローカル信号の振幅を変更する。振幅変更部４８の出力は、ローカルフィードスルー相殺信号付加部２０に与えられる。
【００７１】
なお、ローカル信号供給部１０からローカルフィードスルー相殺信号出力部４０、ローカルフィードスルー相殺信号付加部２０、ＩＦ信号分配器２２を経由してローカルフィードスルー検出部３０に到達する経路のローカル信号Ｌｏの周波数における電気長をΘ１とする。また、ローカル信号供給部１０からローカルフィードスルー検出部３０までのローカル信号Ｌｏの周波数における電気長をΘ２とする。この実施形態では、Θ１＝Θ２であることが好ましい。
【００７２】
次に、第二の実施形態の動作を説明する。
【００７３】
まず、ミキサ２には測定対象であるＲＦ信号が与えられる。しかも、ミキサ２にはローカル信号供給部１０からローカル信号Ｌｏが与えられる。そこで、ミキサ２は、ＲＦ信号とローカル信号Ｌｏとを混合してＩＦ信号を出力する。このＩＦ信号には、ローカルフィードスルーが混入している。ＩＦ信号は、ローカルフィードスルー相殺信号付加部２０を通過して、ＩＦ信号分配器２２に至る。ＩＦ信号分配器２２は、ローカルフィードスルー相殺信号付加部２０から出力されたＩＦ信号を外部（例えば、測定器）およびローカルフィードスルー検出部３０に向けて分配する。
【００７４】
ローカルフィードスルー検出部３０には、ローカル信号供給部１０からローカル信号Ｌｏが与えられる。しかも、ローカルフィードスルー検出部３０には、ＩＦ信号分配器２２からローカルフィードスルーが混入したＩＦ信号が与えられる。
【００７５】
ローカル信号Ｌｏはローカル信号分配器３１により分配され、ローカル信号Ｌｏが位相差検出部３５および振幅差検出部３７に与えられる。ＩＦ信号は、ＩＦ信号分配器３４により分配され、位相差検出部３５および振幅差検出部３７に与えられる。
【００７６】
位相差検出部３５は、ローカル信号ＬｏおよびＩＦ信号の位相差を検出し、位相差信号を出力する。振幅差検出部３７は、ローカル信号ＬｏおよびＩＦ信号の振幅差を検出し、振幅差信号を出力する。
【００７７】
位相差信号は、ローカルフィードスルー相殺信号出力部４０の位相変更部４７に与えられる。振幅差信号は、ローカルフィードスルー相殺信号出力部４０の振幅変更部４８に与えられる。
【００７８】
位相変更部４７は、位相差信号に基づき、ローカル信号の位相を変更する。ただし、ローカルフィードスルーの位相と逆の位相を有するように、ローカル信号の位相を変更する。
【００７９】
振幅変更部４８は、振幅差信号に基づき、位相変更部４７から出力されたローカル信号の振幅を変更する。ただし、ローカルフィードスルーの振幅と同じ振幅を有するように、ローカル信号の振幅を変更する。振幅変更部４８の出力は、ローカルフィードスルー相殺信号付加部２０に与えられる。
【００８０】
ローカルフィードスルー相殺信号付加部２０は、ミキサ２から出力されたＩＦ信号にローカルフィードスルー相殺信号を付加する。これにより、ＩＦ信号におけるローカルフィードスルーがある程度低減できる。
【００８１】
さらに、このＩＦ信号をＩＦ信号分配器２２を介してローカルフィードスルー検出部３０に与える。ローカルフィードスルー検出部３０からは位相差信号および振幅差信号が出力される。ローカルフィードスルー相殺信号出力部４０が、位相差信号および振幅差信号を受けて、ローカルフィードスルー相殺信号を出力し、ローカルフィードスルー相殺信号付加部２０に与える。このようなことを繰り返していく内に、ＩＦ信号におけるローカルフィードスルーは、ローカルフィードスルー検出部３０により検出できなくなるまでに相殺される。
【００８２】
第二の実施形態によっても、第一の実施形態と同様の効果を奏する。
【図面の簡単な説明】
【００８３】
【図１】本発明の第一の実施形態にかかるローカルフィードスルー相殺装置１をミキサ２に接続したものの構成を示す図である。
【００８４】
【図２】本発明の第二の実施形態にかかるローカルフィードスルー相殺装置１をミキサ２に接続したものの構成を示す図である。
【符号の説明】
【００８５】
１  ローカルフィードスルー相殺装置
２  ミキサ
１０  ローカル信号供給部
２０  ローカルフィードスルー相殺信号付加部
２２  ＩＦ信号分配器
３０  ローカルフィードスルー検出部
３２  ローカル信号移相分配器
３４  ＩＦ信号分配器
３６  検出信号出力用ミキサ
３８  直交検出信号出力用ミキサ
３１  ローカル信号分配器
３５  位相差検出部
３７  振幅差検出部
４０  ローカルフィードスルー相殺信号出力部
４２  ローカル信号移相分配器
４３ａ、４３ｂ  ローパスフィルタ
４４ａ  第一相殺信号出力用ミキサ
４４ｂ  第二相殺信号出力用ミキサ
４６  ローカルフィードスルー相殺信号生成器
４７  位相変更部
４８  振幅変更部
【図１】
2005130119.tif 000003
【図２】
2005130119.tif 000004